(57)【要約】【課題】ヘッドマウントディスプレイの使い勝手を向上すること。【解決手段】態様の１つにおいて、ヘッドマウントディスプレイ１は、インタフェース部１０と、判別部８０ｃと、制御部９とを有する。インタフェース部１０は、カートリッジ１０００を接続可能なインタフェースを含む。判別部８０ｃは、カートリッジ１０００がインタフェース部１０に接続された場合に、ヘッドマウントディスプレイ１が特定のエリア内にあるか否かを判別する。制御部９は、判別部８０ｃによって特定のエリア内にあると判別された場合には、カートリッジ１０００から取得する第１データに基づくアプリケーションを実行する。制御部９は、判別部８０ｃによって特定のエリア内にないと判別された場合には、カートリッジ１０００から取得する第２データに基づくアプリケーションを実行する。【選択図】図２
2017183829.tif 000002
【特許請求の範囲】
【請求項１】
ヘッドマウントディスプレイであって、
カートリッジを接続可能なインタフェース部と、
前記カートリッジが前記インタフェース部に接続された場合に、前記ヘッドマウントディスプレイが特定のエリア内にあるか否かを判別する判別部と、
前記判別部によって前記特定のエリア内にあると判別された場合には、前記カートリッジから取得する第１データに基づくアプリケーションを実行し、前記判別部によって前記特定のエリア内にないと判別された場合には、前記カートリッジから取得する第２データに基づくアプリケーションを実行する制御部と、
を有するヘッドマウントディスプレイ。
【請求項２】
前記第２データは、前記特定のエリア内で取得したデータである請求項１に記載のヘッドマウントディスプレイ。
【請求項３】
前記第１データに基づく前記アプリケーションの実行に応じて前記第２データを取得する取得部を有し、
前記制御部は、取得した前記第２データを前記インタフェース部によって前記カートリッジに書き込ませる請求項１または２に記載のヘッドマウントディスプレイ。
【発明の詳細な説明】
【技術分野】
【０００１】
本出願は、ヘッドマウントディスプレイに関する。
【背景技術】
【０００２】
表示装置には、頭部装着型の表示装置がある（特許文献１参照）。
【先行技術文献】
【特許文献】
【０００３】
【特許文献１】特開２０１２−２３１２５９号公報
【発明の概要】
【発明が解決しようとする課題】
【０００４】
上記頭部装着型の表示装置は、さらなる使い勝手の向上が望まれている。
【課題を解決するための手段】
【０００５】
態様の１つに係るヘッドマウントディスプレイは、ヘッドマウントディスプレイであって、カートリッジを接続可能なインタフェース部と、前記カートリッジが前記インタフェース部に接続された場合に、前記ヘッドマウントディスプレイが特定のエリア内にあるか否かを判別する判別部と、前記判別部によって前記特定のエリア内にあると判別された場合には、前記カートリッジから取得する第１データに基づくアプリケーションを実行し、前記判別部によって前記特定のエリア内にないと判別された場合には、前記カートリッジから取得する第２データに基づくアプリケーションを実行する制御部と、を有する。
【図面の簡単な説明】
【０００６】
【図１】図１は、実施形態に係るヘッドマウントディスプレイの外観の概略構成を示す図である。
【図２】図２は、実施形態に係るヘッドマウントディスプレイの機能構成の例を示すブロック図である。
【図３】図３は、実施形態に係るインタフェース部の設置位置の例を示す図である。
【図４】図４は、実施形態に係るインタフェース部の設置位置の例を示す図である。
【図５】図５は、実施形態に係るインタフェース部の開口方向の例を示す図である。
【図６】図６は、実施形態に係るインタフェース部の設置位置及び開口方向の他の例を示す図である。
【図７】図７は、実施形態に係るインタフェース部の設置位置及び開口方向の他の例を示す図である。
【図８】図８は、実施形態に係るヘッドマウントディスプレイによる制御の処理手順の一例を示すフローチャートである。
【図９】図９は、実施形態に係るヘッドマウントディスプレイの制御の一例を示す図である。
【図１０】図１０は、実施形態に係るヘッドマウントディスプレイの機能構成の他の一例を示すブロック図である。
【図１１】図１１は、実施形態に係るヘッドマウントディスプレイによる制御の処理手順の他の一例を示すフローチャートである。
【発明を実施するための形態】
【０００７】
本出願に係るヘッドマウントディスプレイの実施形態を、図面を参照しつつ詳細に説明する。本出願に係るヘッドマウントディスプレイの利用者は、例えば、外部接続可能なカートリッジをヘッドマウントディスプレイに接続して、カートリッジから特定のコンテンツをヘッドマウントディスプレイに読み込ませることにより、ヘッドマウントディスプレイを介して、種々のサービスの提供を受けることができる。ヘッドマウントディスプレイに外部接続可能なカートリッジは、ビジネスパーク、ショッピングセンター、ファッションビル、公園、アミューズメント施設、ハイテクパーク、住居用施設など、屋外、屋内を問わず、ヘッドマウントディスプレイを介してサービスを提供可能な種々の施設などから提供されてよい。
【０００８】
図１は、実施形態に係るヘッドマウントディスプレイの外観の概略構成を示す図である。図１に示すように、ヘッドマウントディスプレイ１は、眼鏡型の形状を有し、フロント部１ａ、蔓部１ｂ、蔓部１ｃ、及び支持部１ｄを備える。図１に示すヘッドマウントディスプレイ１の形状は一例に過ぎず、頭部装着型のウェアラブル端末としての機能を実現できれば、図１に示す形状には限定されない。
【０００９】
フロント部１ａは、表示部２ａ及び表示部２ｂの外周部の少なくとも一部を取り囲むように形成されている。フロント部１ａは、ヘッドマウントディスプレイ１の利用者がヘッドマウントディスプレイ１を装着したときに、利用者の眼前に配置される部分となる。支持部１ｄは、１対（図示せず）からなり、ヘッドマウントディスプレイ１の利用者がヘッドマウントディスプレイ１を装着したときに、利用者の鼻を挟み込むようにして接する。支持部１ｄは、ヘッドマウントディスプレイ１が利用者に装着されたとき、ヘッドマウントディスプレイ１が利用者の顔を重力方向にずれ落ちることなく、装着姿勢をできるだけ保った状態で支持されることに寄与する。
【００１０】
フロント部１ａには、撮像部３、撮像部４、検出部５、及び操作部６なども設置される。
【００１１】
蔓部１ｂ及び蔓部１ｃは、同様の棒状の形状で形成される。蔓部１ｂ及び蔓部１ｃは、ヘッドマウントディスプレイ１の利用者がヘッドマウントディスプレイ１を装着したときに、利用者の側頭部に沿ってそれぞれ配置される部分となる。蔓部１ｂの一方の端部、及び蔓部１ｃの一方の端部は、それぞれ、ヒンジ（図示せず）を介して折り畳み自在にフロント部１ａに接続される部位となる。蔓部１ｂの他方の端部、及び蔓部１ｃの他方の端部は、それぞれ、ヘッドマウントディスプレイ１の利用者がヘッドマウントディスプレイ１を装着したときに、利用者の耳にあてがわれる部位となる。蔓部１ｂ及び蔓部１ｃも、支持部１ｄと同様に、ヘッドマウントディスプレイ１が利用者に装着されたとき、利用者の顔を重力方向にずれ落ちることなく、装着姿勢をできるだけ保った状態で支持されることに寄与する。
【００１２】
図２は、実施形態に係るヘッドマウントディスプレイの機能構成の例を示すブロック図である。
【００１３】
図２に示すように、ヘッドマウントディスプレイ１は、表示部２ａ、表示部２ｂ、撮像部３、撮像部４、検出部５、操作部６、通信部７、記憶部８、制御部９、及びインタフェース部１０を備えて構成される。
【００１４】
表示部２ａ及び表示部２ｂは、液晶ディスプレイ（Ｌｉｑｕｉｄ  Ｃｒｙｓｔａｌ  Ｄｉｓｐｌａｙ）、有機ＥＬ（Ｏｒｇａｎｉｃ  Ｅｌｅｃｔｒｏ−Ｌｕｍｉｎｅｓｃｅｎｃｅ）パネルなどの半透過または透過の表示デバイスを有することができる。表示部２ａ及び表示部２ｂは、制御部９から入力される制御信号に従って各種の情報を表示する。表示部２ａ及び表示部２ｂは、レーザ光線等の光源を用いて利用者の網膜に画像を投影する投影装置であってもよい。
【００１５】
撮像部３及び撮像部４は、ＣＣＤ（Ｃｈａｒｇｅ  Ｃｏｕｐｌｅｄ  Ｄｅｖｉｃｅ  Ｉｍａｇｅ  Ｓｅｎｓｏｒ）、あるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などのイメージセンサを用いて電子的に画像を撮像する。撮像部３及び撮像部４は、撮像した画像を信号に変換して制御部９へ出力する。撮像部３は、例えば、ヘッドマウントディスプレイ１を装着した利用者の前景を撮像するアウトカメラである。撮像部４は、例えば、ヘッドマウントディスプレイ１を装着した利用者を撮像するインカメラである。
【００１６】
検出部５は、種々の検出を実行する。検出部５は、可視光、赤外線、紫外線、電波、音波、磁気、静電容量の少なくとも１つを用いて、検出対象、及び検出対象の状態変化などを検出できる。検出対象は、静止物、移動物、生物、及び非生物を含む。検出部５は、検出結果を制御部９へ出力する。検出部５は、加速度センサを有してもよい。加速度センサは、ヘッドマウントディスプレイ１に働く加速度を検出できる。加速度センサの検出結果は、ヘッドマウントディスプレイ１を携帯する利用者の移動、停止を検出するために用いることができる。検出部５は、ヘッドマウントディスプレイ１の現在位置を検出できる。検出部５は、ＧＰＳ（Ｇｌｏｂａｌ  Ｐｏｓｉｔｉｏｎｉｎｇ  Ｓｙｓｔｅｍ）レシーバによって現在位置を検出してもよい。検出部５は、通信部７が無線通信に用いる基地局に基づいて、現在位置を検出してもよい。検出部５は、複数の方式を併用して、現在位置を検出してもよい。
【００１７】
操作部６は、ヘッドマウントディスプレイ１の起動、停止、動作設定を含む各種設定の変更などの操作入力を利用者から受け付ける。操作部６は、利用者から受け付けた操作入力を信号に変換して制御部９へ出力する。
【００１８】
通信部７は、他の装置との間で通信できる。通信部７は、例えば、所定の通信プロトコルを用いて、他のヘッドマウントディスプレイ、あるいは施設内に設置される施設サーバなどとの間でやり取りされる各種情報を送受信できる。通信部７は、他のヘッドマウントディスプレイとの間で通信接続できる。通信部７は、近距離無線の通信規格の１つ又は複数をサポートできる。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。
【００１９】
記憶部８は、プログラム及びデータなどを記憶する。記憶部８に記憶されるプログラムには制御プログラム８０が含まれる。記憶部８に記憶されるアプリケーションには、施設アプリケーション８１が含まれる。記憶部８に記憶されるデータには、制御用データ８２、カートリッジデータ８３、及び関連データ８４が含まれる。
【００２０】
記憶部８は、制御部９の処理結果を一時的に記憶する作業領域として利用されてもよい。記憶部８は、半導体記憶媒体、及び磁気記憶媒体等の任意の非一過的（ｎｏｎ−ｔｒａｎｓｉｔｏｒｙ）な記憶媒体で構成されてよい。記憶部８は、複数の種類の記憶媒体を含んでよい。記憶部８は、メモリカード、光ディスク、又は光磁気ディスク等の記憶媒体と、記憶媒体の読み取り装置との組み合わせを含んでよい。記憶部８は、ＲＡＭ（Ｒａｎｄｏｍ  Ａｃｃｅｓｓ  Ｍｅｍｏｒｙ）などの一時的な記憶領域として利用される記憶装置を含んでよい。記憶部８に記憶されるプログラムには、アプリケーションの動作を支援するプログラム（図示略）が含まれてよい。記憶部８に記憶されるプログラムは、無線通信あるいは有線通信によってサーバなどの他の装置から取得されてよい。
【００２１】
制御プログラム８０は、ヘッドマウントディスプレイ１の各種制御に関する機能を提供する。制御プログラム８０が提供する機能には、検出処理部８０ａ、表示制御部８０ｂ、及び判別部８０ｃが含まれる。
【００２２】
検出処理部８０ａは、検出部５の検出結果に基づいて、ヘッドマウントディスプレイ１の各種制御を実行するための機能を提供する。表示制御部８０ｂは、表示部２ａ及び表示部２ｂの表示制御を実行するための機能を提供する。
【００２３】
判別部８０ｃは、検出部５の検出結果または通信部７の通信結果に基づいて、ヘッドマウントディスプレイ１が特定のエリア内にあるか否かを判別するための機能を提供する。特定のエリアは、例えば、施設アプリケーション８１を実行する施設内のエリアを含む。特定のエリアは、例えば、カートリッジ１０００が提供される施設内のエリアを含む。特定のエリアは、例えば、ヘッドマウントディスプレイ１を介して設備及び機器などの利用が可能なエリアを含む。
【００２４】
施設アプリケーション８１は、例えば、ヘッドマウントディスプレイ１の利用者が、ヘッドマウントディスプレイ１を介して、施設内に設置される設備及び機器などを利用するための機能を提供するアプリケーションである。例えば、アミューズメントパークである場合、アミューズメントパークの地図などのアミューズメントパークに関する各種情報を表示したり、アミューズメントパーク内に設置される各種アトラクションで遊戯する際の動画像及び音声などを出力したりするためのアプリケーションに該当する。施設アプリケーション８１は、関連データ８４を取得する機能を提供することができる。施設アプリケーション８１は、取得した関連データ８４をヘッドマウントディスプレイ１によって出力させる機能を提供することができる。施設アプリケーション８１は、施設内に設置される設備及び機器が複数存在する場合、設備及び機器のそれぞれに対応するアプリケーションを含むアプリケーションセットとして構成されてよい。施設アプリケーション８１は、インタフェース部１０に外部接続されたカートリッジ１０００から取得されてよい。
【００２５】
制御用データ８２は、制御プログラム８０により提供される機能により実行されるヘッドマウントディスプレイ１の各種制御に用いられるデータである。制御用データ８２は、インタフェース部１０に外部接続されたカートリッジ１０００から取得されてよい。
【００２６】
カートリッジデータ８３は、インタフェース部１０に外部接続されたカートリッジ１０００から取得されたデータである。カートリッジデータ８３は、第１データの一例である。例えば、アミューズメントパークである場合、カートリッジデータ８３は、施設アプリケーション８１が、アトラクションにおけるゲームの進行に応じて、動画像及び音声などをヘッドマウントディスプレイ１に出力するために用いられる。
【００２７】
関連データ８４は、アトラクション施設の特定のエリアで取得したデータである。関連データ８４は、第２データの一例である。例えば、関連データ８４は、施設アプリケーション８１の実行に応じて取得可能となったデータである。例えば、関連データ８４は、施設アプリケーション８１の実行によって発生したデータである。例えば、関連データ８４は、アトラクション側でアトラクションの実施中に撮影された静止画、動画等の画像データを含む。例えば、ポイントを競うアトラクションである場合、関連データ８４は、順位表を示すデータを含む。例えば、関連データ８４は、広告情報を含んでもよい。広告情報は、例えば、アトラクション施設の情報、実施したアトラクションの関連情報及び関連グッズの情報を含む。例えば、関連データ８４は、実施したアトラクションに関する情報を取得するためのアクセスコード、アドレス等の情報としてもよい。
【００２８】
制御部９は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含んで構成されてよいが、これらを含んで構成される場合に限定されない。制御部９は、ヘッドマウントディスプレイ１の動作を統括的に制御して各種の機能を実現する。具体的には、制御部９は、記憶部８に記憶されている制御用データ８２を必要に応じて参照しつつ、記憶部８に記憶されている制御プログラム８０に含まれる命令を実行することにより、ヘッドマウントディスプレイ１の各種制御を実現する。
【００２９】
インタフェース部１０は、カートリッジ１０００の挿入を受け付けて接続可能な状態で開口している。インタフェース部１０は、カートリッジ１０００が接続されると、カートリッジ１０００からカートリッジ１０００に記憶されているデータを取得し、取得したデータを制御部９へ出力する。
【００３０】
以下、図３〜図７を用いて、ヘッドマウントディスプレイ１が備えるインタフェース部１０の設置位置及び開口方向の例を説明する。図３及び図４は、実施形態に係るインタフェース部の設置位置の例を示す図である。図５は、実施形態に係るインタフェース部の開口方向の例を示す図である。図６及び図７は、実施形態に係るインタフェース部の設置位置及び開口方向の他の例を示す図である。
【００３１】
図３に示すように、ヘッドマウントディスプレイ１は、蔓部１ｂの端部のうちフロント部１ａに接続されていない端部付近１ｂ−１、及び蔓部１ｃの端部のうちフロント部１ａに接続されていない端部付近１ｃ−１に、インタフェース部１０をそれぞれ設置することができる。あるいは、図４に示すように、ヘッドマウントディスプレイ１は、蔓部１ｂの中央付近１ｂ−２及び蔓部１ｃの中央付近１ｃ−２にインタフェース部１０をそれぞれ設置することもできる。ヘッドマウントディスプレイ１は、例えば、フロント部１ａが、撮像部３、撮像部４、検出部５、及び操作部６などを備えることにより、蔓部１ｂ、１ｃに比べて重たい場合に、蔓部１ｂ（又は蔓部１ｃ）にカートリッジ１０００を接続させることで、当該蔓部１ｂ（又は１ｃ）の重さをフロント部１ａの重さに近づけることができ、装着感を向上させることができる。
【００３２】
また、インタフェース部１０を蔓部１ｂ及び蔓部１ｃに設置する場合、インタフェース部１０は、ヘッドマウントディスプレイ１の利用者に当該ヘッドマウントディスプレイ１が装着された状態であるときに鉛直方向下向きに開口している。このような構成により、ヘッドマウントディスプレイ１は、インタフェース部１０が有する開口部（外部に開口した部分）から粉塵等が入り込むことを防止できる。
【００３３】
図５を用いて、インタフェース部１０が開口している方向について説明する。図５に示す座標軸のｘ１軸、ｙ１軸、及びｚ１軸はそれぞれが互いに直交しているものとする。図５に示す例において、ヘッドマウントディスプレイ１のフロント部１ａの長手方向は、図５に示す座標軸のｘ１軸方向に平行な方向と一致しているものとする。インタフェース部１０は、カートリッジ１０００をヘッドマウントディスプレイ１に挿入して接続することが可能な向きに開口している。図５に示す例では、同図には明示されていないが、インタフェース部１０は、利用者Ｕ１に装着された状態であるときに、例えば、鉛直方向下向きの方向、すなわち、ｙ１軸の負の方向に平行な方向に開口されている。
【００３４】
ヘッドマウントディスプレイ１は、図３及び図４に示すように、蔓部１ｂ及び蔓部１ｃにインタフェース部１０をそれぞれ設置してもよいし、蔓部１ｂ及び蔓部１ｃのいずれか一方に設置してもよい。
【００３５】
図６を用いて、インタフェース部１０の設置位置及び開口方向の他の例を説明する。図６に示す座標軸のｘ２軸、ｙ２軸、及びｚ２軸はそれぞれが互いに直交しているものとする。図６に示す例において、ヘッドマウントディスプレイ１のフロント部１ａの長手方向は、図６に示す座標軸のｘ２軸方向に平行な方向と一致しているものとする。図６に示すように、ヘッドマウントディスプレイ１は、蔓部１ｃを完全に開いた状態のときに当該蔓部１ｃがフロント部１ａに対して接する位置である当該蔓部１ｃの合口部１ｃ−ｘにインタフェース部１０を設置することもできる。インタフェース部１０は、カートリッジ１０００を挿入して接続可能な状態で開口している。図６に示す例では、インタフェース部１０が、図６に示す座標軸のｚ２軸の正の方向に平行な方向に向かって開口している状態を示している。このような構成により、ヘッドマウントディスプレイ１は、蔓部１ｃを完全に開いた状態のときに、インタフェース部１０の開口部がフロント部１ａにより塞がれるため、カートリッジ１０００を外部の衝撃などから保護することができる。
【００３６】
また、図６に示す例において、ヘッドマウントディスプレイ１は、蔓部１ｂ（又は蔓部１ｃ）における、当該蔓部１ｂ（又は蔓部１ｃ）の長手方向に開口されている開口部を有するものとして規定されてもよい。
【００３７】
図７を用いて、インタフェース部１０の設置位置及び開口方向の他の例を説明する。図７に示す座標軸のｘ３軸、ｙ３軸、及びｚ３軸はそれぞれが互いに直交しているものとする。図７に示す例において、ヘッドマウントディスプレイ１のフロント部１ａの長手方向は、図７に示す座標軸のｘ３軸方向に平行な方向と一致しているものとする。図７に示すように、ヘッドマウントディスプレイ１は、フロント部１ａにおける利用者の顔面に対面する領域１ａ−１にインタフェース部１０を設置することもできる。インタフェース部１０は、カートリッジ１０００を挿入して接続可能な状態で開口している。図７に示す例では、インタフェース部１０が、図７に示す座標軸のｚ３軸の正の方向に平行な方向に向かって開口している状態を示している。このような構成により、ヘッドマウントディスプレイ１は、カートリッジ１０００がインタフェース部１０に接続された状態で、当該カートリッジ１０００を外部の衝撃などから保護することができる。
【００３８】
図８は、実施形態に係るヘッドマウントディスプレイ１による制御の処理手順の一例を示すフローチャートである。図８に示す処理手順は、制御部９が制御プログラム８０を実行することによって実現される。
【００３９】
図８に示すように、ヘッドマウントディスプレイ１の制御部９は、ステップＳ１０１として、インタフェース部１０を介して、カートリッジ１０００の接続を検出したか否かを判定する。例えば、制御部９は、カートリッジ１０００に対するデータの読み書きが可能な場合に、カートリッジ１０００の接続を検出したと判定する。制御部９は、カートリッジ１０００の接続を検出していないと判定した場合（ステップＳ１０１，Ｎｏ）、ステップＳ１０１の処理を繰り返す。制御部９は、カートリッジ１０００の接続を検出したと判定した場合（ステップＳ１０１，Ｙｅｓ）、処理をステップＳ１０２に進める。
【００４０】
制御部９は、ステップＳ１０２として、前処理を実行する。前処理は、カートリッジ１０００のマウント処理、取得処理、設定処理等を含む。マウント処理は、カートリッジ１０００を認識し、利用可能な状態にする処理を含む。取得処理は、カートリッジ１０００からデータを取得する処理を含む。設定処理は、カートリッジデータ８３に基づいてヘッドマウントディスプレイ１の設定を変更する処理を含む。制御部９は、前処理を終了すると、処理をステップＳ１０３に進める。
【００４１】
制御部９は、ステップＳ１０３として、判別部８０ｃによってヘッドマウントディスプレイ１が特定のエリア内にあるかを判別する。例えば、制御部９は、ヘッドマウントディスプレイ１がアトラクション施設の設備に進入したことを検出した場合、ヘッドマウントディスプレイ１の現在位置がアトラクション施設内を示している場合などに、特定のエリア内にあると判別する。制御部９は、特定のエリア内にあると判別した場合（ステップＳ１０４，Ｙｅｓ）、処理をステップＳ１０５に進める。
【００４２】
制御部９は、ステップＳ１０５として、カートリッジデータ８３に基づく施設アプリケーション８１を実行する。カートリッジデータ８３に基づく施設アプリケーション８１とは、例えば、施設アプリケーション８１がカートリッジデータ８３を用いること、施設アプリケーション８１がカートリッジデータ８３を出力することなどを含む。制御部９は、施設アプリケーション８１を実行することにより、カートリッジデータ８３に基づいて、例えば、静止画、動画、音声及び効果音などをヘッドマウントディスプレイ１に出力させる。制御部９は、施設アプリケーション８１の処理が終了すると、処理をステップＳ１０６に進める。
【００４３】
制御部９は、ステップＳ１０６として、後処理を実行する。後処理は、カートリッジ１０００のアンマウント処理、設定処理等を含む。アンマウント処理は、カートリッジ１０００を取り外し可能な状態にする処理を含む。設定処理は、カートリッジデータ８３に基づいて変更したヘッドマウントディスプレイ１の設定を変更前の設定に戻す処理を含む。制御部９は、後処理を終了すると、図８に示す処理手順を終了させる。
【００４４】
制御部９は、特定のエリア内にないと判別した場合（ステップＳ１０４，Ｎｏ）、処理をステップＳ１０７に進める。制御部９は、ステップＳ１０７として、関連データ８４に基づく施設アプリケーション８１を実行する。関連データ８４に基づく施設アプリケーション８１とは、例えば、施設アプリケーション８１が関連データ８４を用いること、施設アプリケーション８１が関連データ８４を出力することなどを含む。制御部９は、施設アプリケーション８１を実行することにより、関連データ８４に基づいて、例えば、静止画、動画、音声及び広告情報などをヘッドマウントディスプレイ１に出力させる。制御部９は、施設アプリケーション８１の処理が終了すると、処理を既に説明したステップＳ１０６に進める。制御部９は、ステップＳ１０６として、後処理を実行すると、図８に示す処理手順を終了させる。
【００４５】
このように、ヘッドマウントディスプレイ１は、カートリッジ１０００がインタフェース部１０に接続された場合に、特定のエリア内にある場合と特定のエリア内にない場合とでは、処理に用いるデータを変更することができる。その結果、カートリッジ１０００にカートリッジデータ８３と関連データ８４とを記憶しておくことで、ヘッドマウントディスプレイ１は、特定のエリアの内側と外側で異なるサービスを提供することができる。カートリッジ１０００が利用者に提供される場合、利用者は、特定のエリアに限定されることなく、ヘッドマウントディスプレイ１によってカートリッジ１０００を有効利用することができる。
【００４６】
図９は、実施形態に係るヘッドマウントディスプレイ１の制御の一例を示す図である。図９を用いて、ヘッドマウントディスプレイ１を特定のエリアで用いる場合の制御の一例を説明する。
【００４７】
例えば、利用者は、アトラクション施設等でカートリッジ１０００を受け取ると、当該カートリッジ１０００をヘッドマウントディスプレイ１のインタフェース部１０に接続させる。利用者は、特定のエリア内でヘッドマウントディスプレイ１を頭部に装着させ、ヘッドマウントディスプレイ１を起動させる。
【００４８】
ヘッドマウントディスプレイ１は、インタフェース部１０を介して、カートリッジ１０００の接続を検出すると（ステップＳ１１）、前処理を実行する（ステップＳ１２）。ヘッドマウントディスプレイ１は、前処理を実行することにより、カートリッジ１０００から施設アプリケーション８１及びカートリッジデータ８３を取得して記憶部８に記憶する。
【００４９】
ヘッドマウントディスプレイ１は、判別部８０ｃによって特定のエリア内である判別すると（ステップＳ１３）、カートリッジデータ８３に基づく施設アプリケーション８１を実行する（ステップＳ１４）。ヘッドマウントディスプレイ１は、カートリッジデータ８３に基づく施設アプリケーション８１を実行することにより、アトラクション実施中となる（ステップＳ１５）。アトラクション実施中である場合、ヘッドマウントディスプレイ１は、アトラクション施設の施設側装置２００と連動して処理を行う。施設側装置２００は、例えば、アトラクションのサービスを提供するためのサーバ、通信装置を含む。ヘッドマウントディスプレイ１は、アトラクションに応じた情報を、表示制御部８０ｂによって表示部２ａ及び表示部２ｂに表示させる。ヘッドマウントディスプレイ１は、アトラクションが終了すると（ステップＳ１６）、施設アプリケーション８１の実行を終了する。
【００５０】
施設側装置２００は、アトラクションが終了すると、利用者の関連データ８４の提供が可能な状態になる。なお、施設側装置２００は、利用者に対する関連データ８４の提供をアトラクションの実施中に開始してもよい。
【００５１】
ヘッドマウントディスプレイ１は、特定のエリア内であると判別すると（ステップＳ１７）、通信部７を介して、施設側装置２００に関連データ８４の取得要求を送信する（ステップＳ１８）。これにより、施設側装置２００は、関連データ８４を作成する。例えば、施設側装置２００は、取得要求に含まれる識別情報に基づいて、アトラクションの乗り物に乗っているときの利用者の静止画、動画等のデータを収集する。例えば、利用者がアトラクションの指定の座席等に着席している場合、施設側装置２００は、座席位置などに基づいて関連データ８４を作成する。施設側装置２００は、収集したデータに基づいて関連データ８４を作成する。施設側装置２００は、作成した関連データ８４をヘッドマウントディスプレイ１に送信する。
【００５２】
ヘッドマウントディスプレイ１は、通信部７を介して、施設側装置２００から受信した関連データ８４を取得すると（ステップＳ１９）、当該関連データ８４をインタフェース部１０によってカートリッジ１０００に書き込む（ステップＳ２０）。これにより、ヘッドマウントディスプレイ１は、関連データ８４に基づく施設アプリケーション８１の実行可能な状態になる。
【００５３】
利用者は、アトラクションが終了すると、特定のエリア外に退出するためにゲートに向かって移動する。ヘッドマウントディスプレイ１は、通信部７を介して、施設側装置２００等から退出データを受信すると、後処理を実行する（ステップＳ２１）。ヘッドマウントディスプレイ１は、後処理が終了すると、待機状態または電源オフ状態になる。
【００５４】
ヘッドマウントディスプレイ１は、特定のエリア内で関連データ８４を取得し、当該関連データ８４を利用者に提供されたカートリッジ１０００に保存することができる。その結果、利用者は、関連データ８４に基づいて、特定のエリアの外側でカートリッジ１０００を有効利用することができる。関連データ８４が再来場を促すデータである場合、ヘッドマウントディスプレイ１は、関連データ８４に基づいて利用者に再来場を促すことができる。ヘッドマウントディスプレイ１は、利用者のカートリッジ１０００に関連データ８４を付加することで、利用者に提供されたカートリッジ１０００の価値を向上させることができる。
【００５５】
上記の実施形態では、ヘッドマウントディスプレイ１が特定のエリア内にないと判別した場合に、ヘッドマウントディスプレイ１は、関連データ８４に基づく施設アプリケーション８１を実行する場合について説明したが、これに限定されない。例えば、ヘッドマウントディスプレイ１は、特定のエリア内にある場合に、利用者の要求に応じて、関連データ８４に基づく施設アプリケーション８１を実行するようにしてもよい。その結果、ヘッドマウントディスプレイ１は、特定のエリア内でカートリッジ１０００の関連データ８４を利用者に確認させることができるため、特定のエリア外での利用を促すことができる。
【００５６】
図１０は、実施形態に係るヘッドマウントディスプレイ１の機能構成の他の一例を示すブロック図である。図１０を用いて、ヘッドマウントディスプレイ１の機能構成の他の一例を説明する。以下の説明においては、同様の構成要素には同一の符号を付し、重複する説明は省略することがある。
【００５７】
ヘッドマウントディスプレイ１は、図１０に示すように、表示部２ａ、表示部２ｂ、撮像部３、撮像部４、検出部５、操作部６、通信部７、記憶部８、制御部９、及びインタフェース部１０を備えて構成される。ヘッドマウントディスプレイ１は、記憶部８が異なる点を除いて、図２に示すヘッドマウントディスプレイ１と同様の構成を有する。
【００５８】
ヘッドマウントディスプレイ１の記憶部８に記憶されるデータには、関連データ８４に紐付けられたアプリケーション８５が含まれる。アプリケーション８５は、関連データ８４をヘッドマウントディスプレイ１に出力させることが可能なアプリケーションを含む。アプリケーション８５は、ヘッドマウントディスプレイ１にインストールされたアプリケーションを含む。アプリケーション８５は、ヘッドマウントディスプレイ１の機能を制御部９に実現させるアプリケーションである。関連データ８４が画像データである場合、アプリケーション８５は、例えば、ブラウザ、動画再生等のアプリケーションを含む。アプリケーション８５は、カートリッジ１０００から記憶部８にインストールしてもよい。
【００５９】
図１１は、実施形態に係るヘッドマウントディスプレイ１による制御の処理手順の他の一例を示すフローチャートである。図１１に示す処理手順は、制御部９が制御プログラム８０を実行することによって実現される。
【００６０】
図１１に示す例では、ステップＳ１０１からステップＳ１０６の処理は、図８に示すステップＳ１０１からステップＳ１０６の処理と同一であるため、異なる部分のみを説明し、同一部分の説明は省略する。
【００６１】
図１１に示すように、ヘッドマウントディスプレイ１の制御部９は、ステップＳ１０１からステップＳ１０３の処理を実行し、特定のエリア内にないと判別した場合（ステップＳ１０４，Ｎｏ）、処理をステップＳ１１０に進める。制御部９は、ステップＳ１１０として、関連データ８４に基づくアプリケーション８５を実行する。制御部９は、関連データ８４に紐付けられたアプリケーション８５を実行する。制御部９は、ヘッドマウントディスプレイ１にインストールされているアプリケーション８５を実行することにより、関連データ８４に基づく情報を表示部２ａ及び表示部２ｂに表示させる。制御部９は、アプリケーション８５の処理が終了すると、処理を既に説明したステップＳ１０６に進める。制御部９は、後処理を実行すると、図１１に示す処理手順を終了させる。
【００６２】
このように、ヘッドマウントディスプレイ１は、カートリッジ１０００がインタフェース部１０に接続された場合に、特定のエリア内にないと判別すると、アプリケーション８５によって関連データ８４を利用者に対して出力することができる。その結果、アトラクション施設側がカートリッジ１０００を利用者に提供する場合、ヘッドマウントディスプレイ１は、カートリッジ１０００の施設アプリケーション８１に紐付けられていない関連データ８４をカートリッジ１０００に保存することができる。
【００６３】
上記の実施形態では、ヘッドマウントディスプレイ１は、カートリッジ１０００から施設アプリケーション８１を取得する場合について説明したが、これに限定されない。例えば、ヘッドマウントディスプレイ１は、通信部７を介してアトラクション施設側のサーバから施設アプリケーション８１を取得してもよい。
【００６４】
上記の実施形態では、ヘッドマウントディスプレイ１は、特定のエリア内で第２データである関連データ８４を取得する場合について説明したが、これに限定されない。例えば、ヘッドマウントディスプレイ１は、特定のエリア外で第２データを取得してもよい。その場合、ヘッドマウントディスプレイ１は、アトラクション施設で提供されたアクセスコード、アドレス等の情報を用いて、特定のエリア外で第２データを取得してもよい。
【００６５】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【００６６】
上記の実施形態では、ヘッドマウントディスプレイ１の構成と動作について説明したが、これに限定されず、各構成要素を備える方法やプログラムとして構成されても良い。
【符号の説明】
【００６７】
１  ヘッドマウントディスプレイ
２ａ，２ｂ  表示部
３，４  撮像部
５  検出部
６  操作部
７  通信部
８  記憶部
９  制御部
１０  インタフェース部
８１  施設アプリケーション
８２  制御用データ
８３  カートリッジデータ
８４  関連データ
【図１】
2017183829.tif 000003
【図２】
2017183829.tif 000004
【図３】
2017183829.tif 000005
【図４】
2017183829.tif 000006
【図５】
2017183829.tif 000007
【図６】
2017183829.tif 000008
【図７】
2017183829.tif 000009
【図８】
2017183829.tif 000010
【図９】
2017183829.tif 000011
【図１０】
2017183829.tif 000012
【図１１】
2017183829.tif 000013